(57)【要約】【課題】  写真撮影装置の処理動作を制御する情報処理装置を内部に備えた筐体を備える写真撮影装置において、前記筐体内部の情報処理装置から発生する熱を、筐体の外部に効果的に排出する。【解決手段】  撮影ブース６内のユーザを撮影するカメラ２と、撮影した画像を表示してユーザからの編集画像の入力操作を受け付けるタブレットディスプレイ１２と、カメラ２に基づく撮影処理とタブレットディスプレイ１２に基づく編集処理のうちの少なくとも一方の処理を制御する制御手段と、前記制御手段を内部に収納する筐体とを備える写真撮影装置において、前記制御手段は第１のＰＣ２０、第２のＰＣ２１により構成され、前記筐体はその内部と外部とをつなげる開口部１０ｂを備え、前記ＰＣ２０、２１から発生する熱を開口部１０ｂに誘導する排熱ダクト２６、２７を備える。【選択図】図２
2007052712.tif 000002
【特許請求の範囲】
【請求項１】
撮影ブース内のユーザを撮影する撮影手段と、撮影した画像を表示してユーザからの編集画像の入力操作を受け付ける編集手段と、前記撮影手段に基づく撮影処理と前記編集手段に基づく編集処理のうちの少なくとも一方の処理を制御する制御手段と、前記制御手段を内部に収納する筐体とを備える写真撮影装置において、前記制御手段は情報処理装置により構成され、前記筐体はその内部と外部とをつなげる開口部を備え、前記情報処理装置から発生する熱を前記開口部に誘導する熱誘導部を備えることを特徴とする写真撮影装置。
【請求項２】
筐体は、撮影手段を有する第１の筐体と、編集手段を有し、前記第１の筐体よりも容積が小さい第２の筐体とで構成され、前記第２の筐体に情報処理装置が収納されるとともに開口部が設けられ、前記情報処理装置から発生する熱を前記開口部に誘導する熱誘導部を備えることを特徴とする請求項１記載の写真撮影装置。
【請求項３】
情報処理装置は、撮影処理を制御する第１の情報処理装置と、編集処理を制御する第２の情報処理装置の少なくとも２台で構成され、熱誘導部は、前記第１の情報処理装置および前記第２の情報処理装置のそれぞれから発生する熱を前記開口部に個別に誘導することを特徴とする請求項１または２に記載の写真撮影装置。
【請求項４】
情報処理装置はパーソナルコンピュータであり、熱誘導部は管状でその一端側は前記パーソナルコンピュータに設けられた排熱口に取り付けられ、他端側は筐体の開口部に取り付けられ、前記排熱口と前記開口部との間が密閉状態とされていることを特徴とする請求項１〜３の何れか一項に記載の写真撮影装置。
【請求項５】
筐体における開口部には、前記筐体の内部の空気を前記筐体の外部に強制的に排出する換気手段が設けられていることを特徴とする請求項１〜４の何れか一項に記載の写真撮影装置。
【請求項６】
パーソナルコンピュータの排熱口には筒状部を有する取付部材が設けられ、熱誘導部の一端側は、前記筒状部にはめ合わせられることで、前記パーソナルコンピュータの排熱口に取り付けられていることを特徴とする請求項４記載の写真撮影装置。
【発明の詳細な説明】
【技術分野】
【０００１】
本発明は、撮影ブース内の被写体を撮影する写真撮影装置に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような写真撮影装置は、撮影ブース内のユーザを撮影するカメラ等が備えられた撮影側筐体と、撮影した画像に対してユーザが編集画像の入力を行うための編集画像入力装置が備えられた編集側筐体とからなるものがある。
【０００４】
このような写真撮影装置における撮影側筐体には、ユーザに対向する側（以下、ユーザ側と記す）の面に、カメラのほか、カメラが現在撮影している画像をユーザに対してリアルタイムで表示し、かつ、ユーザからの操作入力を受け付けるとともにデモ画面や撮影操作の手順等をユーザに対して表示するタッチパネルディスプレイ、撮影操作時に音声案内やＢＧＭを出力する撮影側スピーカ、撮影時にユーザを照射するための複数のストロボ、コインを投入するためのコイン投入口などが設けられている。
【０００５】
また、この撮影側筐体の外部における一方の側面にはプリント取出口が設けられ、このプリント取出口からは、撮影画像と編集入力した画像とを合成した印刷用画像（編集画像を入力しなかった場合には撮影画像）がシールシートなどの印刷媒体に印刷されたものが排出される。
【０００６】
一方、編集側筐体には、撮影ブース内において撮影した画像を表示して付属のタッチペンによりユーザからの編集画像の入力操作を受け付けるタブレットディスプレイと、編集画像の入力操作時に音声案内やＢＧＭを出力する編集側スピーカとが設けられている。
【０００７】
上記のように、撮影側筐体および編集側筐体は、ユーザからのニーズに対応すべくさまざまな機能を備えており、これらのさまざまな機能を実現するために撮影側筐体や編集側筐体の内部には、種々のデータ処理を行うための情報処理装置としてのパーソナルコンピュータ（以下、ＰＣと記す）、カメラやストロボ等の制御を行う制御基盤、電源のバックアップを行うＵＰＳ（Ｕｎｉｎｔｅｒｒｕｐｔｅｄ  Ｐｏｗｅｒ  Ｓｕｐｐｌｙ）、印刷用画像をシールシートに印刷するプリンタ、音声出力のボリュームを調整するボリューム調整部、ＤＩＯ（デジタルＩ/Ｏ）などといったさまざまな電子機器が備えられている。
【０００８】
上記のように、これらの筐体内部にはさまざまな電子機器が備えられており、これらの電子機器を外部からのいたずらや衝撃、粉塵などから保護するために、各筐体の側壁は堅牢な板部材により形成され、また、できるだけ内部を密閉する構造とされている。また、これらの電子機器は、筐体内に収納されているが、それぞれが場所をとるため、互いに近接した状態で収納されている。
【０００９】
しかしながら、筐体の内部の電子機器は作動時に熱を発生するため、このような密閉に近い構造であると、電子機器から発生する熱、特にＰＣの後方から排出される熱が筐体の内部にこもってしまう。
【００１０】
これに対し、例えば、特許文献１における図２や段落〔００４５〕や、特許文献２における段落〔００４３〕には、筐体の上面に、筐体内部の熱を逃がすためのファンが設けられていることが記載されている。
【００１１】
以上のように、筐体の上面にファンを設けることで、筐体の内部にこもった熱を、筐体の外部に排出することができる。
【００１２】
なお、図８には、例として、撮影側筐体（図示は省略）に隣接する編集側筐体の内部を示している。編集側筐体１００の内部には、２台のＰＣ１０１、１０２、ボリューム調整部１０３、ＵＰＳ１０４、ＤＩＯ１０５などの電子機器が備えられており、編集側筐体１００の側壁１００ａには、筐体内部の温かい空気を筐体の外部に排出するための排気ファン１０６が取り付けられている。なお、図中の二点鎖線は、編集側筐体１００に設けられているメンテナンス用の扉を示している。
【特許文献１】実用新案登録第３０９３６６０号公報
【特許文献２】特許第３４４４８７３号公報
【発明の開示】
【発明が解決しようとする課題】
【００１３】
筐体内部に配置されているＰＣ１０１、１０２は、ＰＣ内部の熱を排出するためのファン１０１ａ、１０２ａを背面部に有しており、これらのファン１０１ａ、１０２ａは、ＰＣ１０１、１０２の周囲の空気、すなわち筐体内部の空気を取り込んでＰＣ１０１、１０２の内部を空冷し、その後の熱気をＰＣ１０１、１０２の外部に排出する。そしてその後、排出した熱気を含む筐体内部の空気を取り込んでＰＣ１０１、１０２の内部を継続的に空冷する。
【００１４】
したがって、筐体内部の空気の温度は徐々に上昇してしまい、筐体の側壁１００ａに設けられた排気ファン１０６は、このような、筐体内部における高温に上昇した空気の一部を筐体外部に排出するにとどまるので、筐体内部の高温状態は解消されにくい。
【００１５】
また、このように、ＰＣ１０１、１０２から排出される熱気およびその他の電子機器が発生する熱により、筐体内部の空気の温度が上昇してしまうと、ＰＣ１０１、１０２およびその他の電子機器の作動状況に悪影響を及ぼす恐れがある。
【００１６】
このような問題に対しては、筐体の側壁１００ａに設けている排気ファン１０６を、より排気能力の高いファンに変えることも考えられるが、写真撮影装置全体で使用できる電力量は限られているため、排気ファン１０６を高性能のものに変更することは難しい。
【００１７】
そこで本発明はこのような問題を解決して、写真撮影装置の処理動作を制御する情報処理装置を内部に備えた筐体を備える写真撮影装置において、前記筐体内部の情報処理装置から発生する熱を、筐体の外部に効果的に排出することを目的とする。
【課題を解決するための手段】
【００１８】
上記課題を解決するために請求項１記載の発明は、撮影ブース内のユーザを撮影する撮影手段と、撮影した画像を表示してユーザからの編集画像の入力操作を受け付ける編集手段と、前記撮影手段に基づく撮影処理と前記編集手段に基づく編集処理のうちの少なくとも一方の処理を制御する制御手段と、前記制御手段を内部に収納する筐体とを備える写真撮影装置において、前記制御手段は情報処理装置により構成され、前記筐体はその内部と外部とをつなげる開口部を備え、前記情報処理装置から発生する熱を前記開口部に誘導する熱誘導部を備えるものである。
【００１９】
このような構成によると、熱誘導部により、情報処理装置から発生する熱を筐体の開口部に円滑に誘導することができるので、前記発生した熱を筐体の内部にこもらせること無く、筐体の外部に効率よく排出することができる。したがって、例えば熱誘導部が設けられていない場合に比べて筐体の内部の温度上昇を抑制することができ、情報処理装置から発生した熱が、情報処理装置の作動状況に悪影響を及ぼすことを防止することができる。さらに、情報処理装置以外の電子機器が筐体の内部に収納されている場合であっても、情報処理装置から発生した熱が筐体の外部に効果的に排出されることで、このような電子機器の作動状況に悪影響を及ぼすことを防止することができる。また、このように筐体の内部に熱がこもらないようにできるので、情報処理装置および前記電子機器の作動環境が苛酷にならず、したがって、情報処理装置から発生する熱が、情報処理装置および前記電子機器の製品寿命に悪影響を及ぼすことも抑制することができる。さらに、情報処理装置自身が、情報処理装置の周囲の空気を取り込んで情報処理装置の内部を空冷し、冷却後の熱気を情報処理装置の外部に排出する機構を有する場合には、排出された冷却後の熱気は、熱誘導部により開口部まで円滑に誘導されて筐体の外部に排出され、筐体内部を巡ることが無い、すなわち前記熱気が筐体内部の空気と混ざらないので、情報処理装置は、自身が排出した熱気を情報処理装置内部の空冷に利用することが無く、したがって、筐体内部の温度上昇をより効果的に抑制することができる。
【００２０】
請求項２記載の発明は、請求項１記載の写真撮影装置において、筐体は、撮影手段を有する第１の筐体と、編集手段を有し、前記第１の筐体よりも容積が小さい第２の筐体とで構成され、前記第２の筐体に情報処理装置が収納されるとともに開口部が設けられ、前記情報処理装置から発生する熱を前記開口部に誘導する熱誘導部を備えるものである。
【００２１】
このような構成によると、熱誘導部を設けない場合には第１の筐体よりも容積の小さい第２の筐体のほうが、第１の筐体に比べて筐体内部の温度が上昇しやすくなるので、熱誘導部を備えた場合の排熱効果は、第２の筐体のほうが第１の筐体に比べて顕著に現れる。したがって、情報処理装置を収納する筐体の容積が小さくなるにつれて、熱誘導部を備えることが有用となる。
【００２２】
請求項３記載の発明は、請求項１または２記載の写真撮影装置において、情報処理装置は、撮影処理を制御する第１の情報処理装置と、編集処理を制御する第２の情報処理装置の少なくとも２台で構成され、熱誘導部は、前記第１の情報処理装置および前記第２の情報処理装置のそれぞれから発生する熱を前記開口部に個別に誘導するものである。
【００２３】
このような構成によると、情報処理装置が、第１の情報処理装置と第２の情報処理装置の少なくとも２台で構成される場合であっても、熱誘導部は、第１の情報処理装置および第２の情報処理装置のそれぞれから発生する熱を開口部に個別に誘導するので、それぞれの情報処理装置から発生する熱を筐体の外部に効率よく排出することができ、筐体の内部の温度上昇を抑制することができる。
【００２４】
請求項４記載の発明は、請求項１〜３の何れか一項に記載の写真撮影装置において、情報処理装置はパーソナルコンピュータであり、熱誘導部は管状でその一端側は前記パーソナルコンピュータに設けられた排熱口に取り付けられ、他端側は筐体の開口部に取り付けられ、前記排熱口と前記開口部との間が密閉状態とされているものである。
【００２５】
このような構成によると、パーソナルコンピュータから発生した熱を熱誘導部の外部に漏らすことが無いので、この発生した熱を筐体の外部に、より効果的に排出することができる。さらに、パーソナルコンピュータ以外の電子機器が筐体の内部に収納されている場合には、前記発生した熱を熱誘導部の外部に漏らすことが無い分、筐体の内部であって熱誘導部の外部、すなわち前記電子機器が収納されている箇所の近辺の温度上昇を抑制することができ、前記電子機器がパーソナルコンピュータから発生した熱により悪影響を受けることをいっそう抑制することができる。
【００２６】
請求項５記載の発明は、請求項１〜４の何れか一項に記載の写真撮影装置において、筐体における開口部には、前記筐体の内部の空気を前記筐体の外部に強制的に排出する換気手段が設けられているものである。
【００２７】
このような構成によると、筐体の開口部に換気手段が設けられていることで、熱誘導部によって開口部に誘導された熱を、前記筐体の外部に強制的に排出することができ、例えば換気手段が設けられていない場合に比べて、情報処理装置から発生した熱を熱誘導部内にこもらせること無く、効率よく筐体の外部に排出することができる。
【００２８】
請求項６記載の発明は、請求項４記載の写真撮影装置において、パーソナルコンピュータの排熱口には筒状部を有する取付部材が設けられ、熱誘導部の一端側は、前記筒状部にはめ合わせられることで、前記パーソナルコンピュータの排熱口に取り付けられているものである。
【００２９】
このような構成によると、パーソナルコンピュータの排熱口に設けられた取付部材の筒状部に熱誘導部の一端側がはめ合わせられて、パーソナルコンピュータの排熱口に熱誘導部の一端側が取り付けられているので、例えば、排熱口と熱誘導部の一端側とがねじ止めなどの方法により取り付けられている場合に比べて、部品点数を少なくできるほか、容易かつ短時間で取付作業を行うことができる。さらに、パーソナルコンピュータのメンテナンス時などにおいては、パーソナルコンピュータから熱誘導部の一端側を簡単に取り外すことができ、パーソナルコンピュータを筐体の内部から容易に取り出すことができる。
【発明の効果】
【００３０】
以上のように本発明によれば、写真撮影装置の処理動作を制御する情報処理装置を内部に備えた筐体を備える写真撮影装置において、熱誘導部により、情報処理装置から発生する熱を筐体に備えられた開口部に誘導することで、前記発生する熱を、筐体の外部に効果的に排出することができる。
【発明を実施するための最良の形態】
【００３１】
本発明の実施の形態を、図１〜図７を参照しながら説明する。図１は本発明の実施の形態の写真撮影装置１を示す側面図、図２は図１に示した編集側筐体１０の斜視図、図３は編集側筐体１０の内部における要部の拡大斜視図、図４は情報処理装置から発生する熱を編集側筐体の外部に排出する状態を説明する図である。
【００３２】
図１に示すように、写真撮影装置１は、被写体を撮影する撮影手段であるカメラ２を備える第１の筐体としての撮影側筐体３と、この撮影側筐体３におけるカメラ２と対向する位置に距離を置いて設けられている背景ユニット４と、筐体３と背景ユニット４の上部に左右一対の天井フレーム５が架設されて形成される撮影ブース６内に設けられ、被写体であるユーザの撮影ポーズの形成を補助する門型のはしご７と、撮影側筐体３の背面に隣接して設けられている第２の筐体としての編集側筐体１０とを備える。
【００３３】
撮影側筐体３における背景ユニット４に対向する側の面には、図示は省略するが、カメラ２のほか、カメラ２が現在撮影している画像をユーザに対してリアルタイムで表示し、かつ、ユーザからの操作入力を受け付けるとともにデモ画面や撮影操作の手順等をユーザに対して表示するタッチパネルディスプレイと、撮影時にユーザを照射するための複数のストロボと、コインを投入するためのコイン投入口と、撮影操作時に音声案内やＢＧＭを出力する撮影側スピーカとが設けられている。
【００３４】
さらに、この撮影側筐体３の外部における一方の側面にはプリント取出口８が設けられ、このプリント取出口８からは、撮影画像と編集入力した画像とを合成した印刷用画像（編集画像を入力しなかった場合には撮影画像）が撮影側筐体３の内部に収納されたプリンタによってシールシートなどの印刷媒体に印刷されたものが排出される。なお、撮影側筐体３の内部には、プリンタのほか、ストロボのジェネレータなどが収納されている。
【００３５】
背景ユニット４における撮影側筐体３に対向する側の上部には、撮影時にユーザの背景となる背景カーテン９ａを複数種類備えたカーテンユニット９が設けられている。それぞれの背景カーテン９ａは、カーテンユニット９内に巻き取られた状態で収納されており、カーテンユニット９は、ユーザからタッチパネルディスプレイへの操作を介して指定された背景カーテン９ａを、背景ユニット４の壁面に沿って垂下させる。
【００３６】
一方、編集側筐体１０は撮影側筐体３よりも容積が小さく形成されており、この編集側筐体１０には、図２に示すように、撮影ブース６において撮影した画像を表示して付属のタッチペン１１によりユーザからの編集画像の入力を受け付ける編集手段としてのタブレットディスプレイ１２と、図示は省略するが、編集入力操作時に音声案内やＢＧＭを出力する編集側スピーカとが設けられている。なお、図中においては現れていないが、編集側筐体１０の反対側の面にも、タッチペン、タブレットディスプレイ、編集側スピーカが設けられており、異なる２組のユーザが、それぞれが撮影した画像に対して同時に編集画像の入力操作を行うことが可能とされている。なお、図中の１３は、ユーザが編集入力操作を行う編集ブースである。なお、上記の撮影ブース６および編集ブース１３の周囲には、ユーザがそれぞれのブースにおいて操作処理を行う際に、他の利用者から画像等の内容が見えないようにするための周囲カーテンが設けられているが、図面の煩雑化を避けるため、図示は省略している。
【００３７】
上記の写真撮影装置１は、ユーザからのニーズに対応すべくさまざまな機能、例えば音声案内、ストロボ照射光の変更、編集画像の入力などを備えており、これらのさまざまな機能を実現するために、編集側筐体１０の内部には、図２〜図４に示すように、カメラ２によって撮影した画像の転送など、撮影に関するデータ処理である撮影処理、並びに撮影側筐体３に収納されたプリンタの印刷に関するデータ処理である印刷処理などの制御を行う第１の情報処理装置としての第１のパーソナルコンピュータ（以下、パーソナルコンピュータをＰＣと記す）２０と、ユーザからタブレットディスプレイ１２に入力された情報を編集入力画像として画面表示するためのデータ処理など、撮影画像の編集に関するデータ処理である編集処理などを制御する第２の情報処理装置としての第２のＰＣ２１と、音声出力のボリュームを調整するボリューム調整部２２と、写真撮影装置１の電源のバックアップを行うＵＰＳ２３と、その他のユーザからの入力操作等の制御に関するＤＩＯ（デジタルＩ/Ｏ）２４と、図示は省略するがさまざまな電子機器が備えられている。なお、編集側筐体１０の内部には、各ＰＣや電子機器の配線がめぐらされているが、図面の煩雑化を避けるために省略している。
【００３８】
これらのＰＣや電子機器は撮影側筐体３の内部に収納することもできるが、撮影側筐体３の内部には、比較的に大きいストロボ用ジェネレータやカメラ本体などが収納されているため、本実施の形態においては、上記のＰＣや電子機器が、撮影側筐体３よりも容積の小さい編集側筐体１０の内部に収容されている場合を説明する。しかしながら当然のごとく、これらのＰＣや電子機器は撮影側筐体３の内部に収納されていてもよい。また、本願の特許請求の範囲における請求項１に記載した制御手段は、撮影手段に基づく撮影処理と編集手段に基づく編集処理のうちの少なくとも一方の処理を制御するものであり、本実施の形態においては、第１のＰＣ２０および第２のＰＣ２１により構成されるものであるが、ＣＰＵを備える単なるメインボード（制御基盤）から構成される場合であってもよい。
【００３９】
図２〜図４に示すように、編集側筐体１０の側面１０ａには、この側面１０ａを貫通する開口部１０ｂ（図４参照）が形成されており、この開口部１０ｂに対応する位置でかつ編集側筐体１０の内側には、編集側筐体１０の内部の空気を外部に強制的に排出する換気手段としてのファン２５が設けられている。
【００４０】
このファン２５から第１のＰＣ２０の排熱口２０ａにかけては熱誘導部としての第１の排熱ダクト２６、ファン２５から第２のＰＣ２１の排熱口２１ａにかけては同じく熱誘導部としての第２の排熱ダクト２７が設けられている。詳細には、第１の排熱ダクト２６の一端側は、第１のＰＣ２０の排熱部２０ａに被さるように取り付けられている箱型形状のＰＣ側取付部材２８Ａを介して第１のＰＣ２０に取り付けられており、第１の排熱ダクト２６の他端側は、ファン２５に被さるように取り付けられている箱型形状の筐体側取付部材２９を介して編集側筐体１０に取り付けられている。また、第２の排熱ダクト２７も、第１の排熱ダクト２６と同様に、ＰＣ側取付部材２８Ｂおよび筐体側取付部材２９を介して取り付けられている。各排熱ダクト２６、２７は、管状で蛇腹形状に形成されており、ＰＣ２０、２１の配置箇所の変更に対応できるように湾曲自在に構成されている。これにより、筐体内において各排熱ダクト２６、２７の配設状況を変更しやすい、すなわち取り回しがしやすくなる。
【００４１】
ＰＣ側取付部材２８Ａには第１の排熱ダクト２６の口径と同様の大きさの丸孔が、ＰＣ側取付部材２８Ｂには第２の排熱ダクト２７の口径と同様の大きさの丸孔が形成されており、排熱ダクト２６、２７の一端側は、それぞれのＰＣ側取付部材２８Ａ、２８Ｂの丸孔にはめ込まれることで、ＰＣ側取付部材２８Ａ、２８Ｂに取り付けられている。また、筐体側取付部材２９には、排熱ダクト２６、２７の口径と同様の大きさの丸孔が２つ形成されており、そのそれぞれに排熱ダクト２６、２７の他端側がはめ込まれることで、筐体側取付部材２９に取り付けられている。このように、排気ダクト２６、２７の両端部が、ＰＣ側取付部材２８Ａ、２８Ｂおよび筐体側取付部材２９に取り付けられていることで、編集側筐体１０の側面１０ａにおける開口部１０ｂと第１のＰＣ２０の排熱口２０ａ、編集側筐体１０の側面１０ａにおける開口部１０ｂと第２のＰＣ２１の排熱口２１ａとの間が密閉状態とされている。
【００４２】
なお、上記においては、排熱ダクトの端部が取付部材の丸孔にはめ込まれている場合を説明したがこれに限らず、例えば図５に示すように、ＰＣ側取付部材および筐体側取付部材（ここではＰＣ側取付部材２８Ａの場合を説明する）に筒状部３０を形成し、この筒状部３０に第１の排熱ダクト２６の一端部をはめ込むようにして、第１の排熱ダクト２６の一端部とＰＣ側取付部材２８Ａとを取り付けるようにしてもよい。このような取付構造によると、第１の排熱ダクト２６の一端部がＰＣ側取付部材２８Ａの筒状部３０にはめ合わせられて取り付けられているので、例えば、第１の排熱ダクト２６の一端部とＰＣ側取付部材２８Ａとがねじ止めなどの方法により取り付けられている場合に比べて、部品点数を少なくできるほか、容易かつ短時間で取付作業を行うことができる。さらに、第１のＰＣ２０のメンテナンス時などにおいては、第１のＰＣ２０から第１の排熱ダクト２６の一端側を引き抜くことで簡単に取り外すことができ、第１のＰＣ２０を編集側筐体１０の内部から容易に取り出すことができる。
【００４３】
以上のような構成において、ユーザは、撮影ブース６内において、はしご７を利用するなどして好みの撮影ポーズを形成して写真撮影を行い、撮影が終了すると、撮影した画像が表示される側の編集ブース１３に移動し、タッチペン１１を用いて、撮影画像が表示されるタブレットディスプレイ１２に編集画像の入力を行う。そして、編集画像の入力が終わると、ユーザは、撮影画像と編集入力画像とが合成処理されて生成された印刷用画像がシールシートに印刷されて排出されるプリント取出口８に移動し、出力されるシールシートを取得して写真撮影装置１の利用を終了する。なお、上記の撮影処理、編集処理および印刷処理の詳細については、写真撮影装置の分野において既に公知であるので、本実施の形態においては説明を省略する。
【００４４】
ユーザは、上記のようにして写真撮影装置１を利用するが、このとき、電源が入った状態の第１のＰＣ２０、第２のＰＣ２１、およびその他の電子機器としてのボリューム調整部２２、ＵＰＳ２３、ＤＩＯ２５は稼動しているため熱を発生する。特に、内部にＣＰＵを有し、かつ、精密な回路基盤を多く有する第１のＰＣ２０、第２のＰＣ２１は他の電子機器に比べて多くの熱を発生する。熱の多くはＣＰＵから発せられる。
【００４５】
しかしながら、写真撮影装置１には、ファン２５と第１のＰＣ２０の排熱口２０ａ、ファン２５と第２のＰＣ２１の排熱口２１ａとの間に、第１の排熱ダクト２６、第２の排熱ダクト２７が設けられているので、図４に示すように、第１の排熱ダクト２６、第２の排熱ダクト２７が、第１のＰＣ２０、第２のＰＣ２１から発生する熱（図中の矢印Ｈにて示す）を編集側筐体１０の開口部１０ｂに円滑に誘導し、誘導された熱を、編集側筐体１０の内部にこもらせること無く、ファン２５により効果的に編集側筐体１０の外部に排出することができる。したがって、例えば排熱ダクト２６、２７が設けられていない場合に比べて編集側筐体１０の内部の温度上昇を抑制することができ、第１のＰＣ２０および第２のＰＣ２１から発生した熱が、第１のＰＣ２０、第２のＰＣ２１、およびその他の電子機器であるボリューム調整部２２、ＵＰＳ２３、ＤＩＯ２５の作動状況に悪影響を及ぼすことを防止することができる。
【００４６】
また、このように編集側筐体１０の内部に熱がこもらないようにできるので、第１のＰＣ２０、第２のＰＣ２１、ボリューム調整部２２、ＵＰＳ２３、ＤＩＯ２５の作動環境が苛酷にならず、したがって、第１のＰＣ２０および第２のＰＣ２１から発生した熱が、第１のＰＣ２０、第２のＰＣ２１、ボリューム調整部２２、ＵＰＳ２３、ＤＩＯ２５の製品寿命に悪影響を及ぼすことも抑制することができる。さらに、第１のＰＣ２０、第２のＰＣ２１は、その周囲の空気を取り込んで内部を空冷し、冷却後の熱気をＰＣの外部に排出する排気ファン２０ｂ、２１ｂを内部に備えており、この排気ファン２０ｂ、２１ｂにより排出された冷却後の熱気は、排熱ダクト２６、２７により開口部１０ｂまで円滑に誘導されて編集側筐体１０の外部に排出され、編集側筐体１０の内部を巡ることが無い、すなわち前記熱気が編集側筐体１０の内部の空気を混ざらないので、第１のＰＣ２０および第２のＰＣ２１は、自身が排出した熱気を内部の空冷に利用することが無く、したがって、編集側筐体１０の内部の温度上昇をより効果的に抑制することができる。
【００４７】
また、たとえ編集側筐体１０のほうが撮影側筐体３よりも容積が小さく、筐体内部の温度が上昇しやすい場合であっても、排熱ダクト２６、２７が、第１のＰＣ２０および第２のＰＣ２１から発生する熱を開口部１０ｂに誘導し、前記発生した熱が開口部１０ｂから編集側筐体１０の外部に効果的に排出されるので、編集側筐体１０の内部に収納されている第１のＰＣ２０および第２のＰＣ２１は、自身から発生した熱の影響を受けることがない。また、排熱ダクトを設けない場合には撮影側筐体３よりも容積の小さい編集側筐体１０のほうが、撮影側筐体３に比べて筐体内部の温度が上昇しやすくなるので、排熱ダクト２６、２７を備えた場合の排熱効果は、編集側筐体１０のほうが撮影側筐体３に比べて顕著に現れる。したがって、第１のＰＣ２０、第２のＰＣ２１を収納する筐体の容積が小さくなるにつれて、排熱ダクト２６、２７を備えることが有用となる。
【００４８】
さらに、開口部１０ｂと第１のＰＣ２０の排熱口２０ａ、開口部１０ｂと第２のＰＣ２１の排熱口２１ａとが密閉状態とされていることで、発生した熱を排熱ダクト２６、２７の外部に漏らすことが無く、編集側筐体１０の外部に、より効果的に排出することができる。
【００４９】
なお、上記においては、ＰＣの排熱口と排熱ダクトとを密閉状態で接続した場合を説明したがこれに限らず、図６に示すように、第１の排熱ダクト２６の一端側に末広がり部３１ａを有するジョウゴ形状のスリーブ３１を被せ、第１のＰＣ２０の排熱口２０ａから排出される冷却後の熱気をこの末広がり部３１ａにより効率的に回収し、回収した熱気を第１の排熱ダクト２６、ファン２５、開口部１０ａを介して、編集側筐体１０の外部に排出するようにしてもよい。
【００５０】
さらに、上記においては、編集側筐体１０の内部に備えられた排熱ダクト２６、２７を編集側筐体１０の側面１０ａにおける開口部１０ｂに接続し、発生した熱をこの開口部１０ｂから編集側筐体１０の外部に排出した場合を説明したが、これに限らず、例えば図７に示すように、隣接する撮影側筐体３における、編集側筐体１０の開口部１０ｂに対応する位置に第１の開口部３ａを形成し、この第１の開口部３ａが形成された側面とは異なる側面３ｂに第２の開口部３ｃを形成し、第１のＰＣ２０、編集側筐体１０の開口部１０ｂ、撮影側筐体３における第１の開口部３ａ、第２の開口部３ｃにわたって第１の排熱ダクト２６を設置し、このようにして、第１のＰＣ２０から発生した熱を編集側筐体１０の外部に排出するようにしてもよい。このような実施の形態の変形例は、ＰＣをどの筐体内に収納するか、排熱用の開口部をどの筐体に設けるかにより様々に異なり、紙幅の都合上、これらすべてを例示しないが、要するに、これらの例示しない変形例は、筐体内における熱を発生する機器と外気とをつなげる熱誘導部を設ける構成を有する。また、前述の、筐体内における熱を発生する機器と外気とをつなげる熱誘導部を設ける構成は、写真撮影装置の筐体においてのみ用いられるのではなく、大型の情報処理システム等を構成するもので、内部に情報処置装置等の熱を発生する電子機器を備える筐体に応用することもできる。
【００５１】
以上のように本発明によると、写真撮影装置の処理動作を制御する第１のＰＣ２０および第２のＰＣ２１を内部に備えた筐体を備える写真撮影装置１において、排熱ダクト２６、２７により、第１のＰＣ２０および第２のＰＣ２１から発生する熱を筐体に備えられた開口部１０ｂに誘導することで、前記発生する熱を、筐体の外部に効果的に排出することができる。
【図面の簡単な説明】
【００５２】
【図１】本発明の実施の形態の写真撮影装置の側面図である。
【図２】図１に示した編集側筐体の斜視図である。
【図３】編集側筐体の内部における要部の拡大斜視図である。
【図４】ＰＣから発生する熱を編集側筐体の外部に排出する状態を説明する図である。
【図５】排熱ダクトとＰＣとの取付構造の例を示す図である。
【図６】排熱ダクトとＰＣの排熱口とを直結しない場合の例を示す図である。
【図７】排熱ダクトの配置例を示す図である。
【図８】従来の編集側筐体の斜視図である。
【符号の説明】
【００５３】
２    カメラ
６    撮影ブース
１０    編集側筐体
１０ｂ  開口部
１２    タブレットディスプレイ
２０    第１のＰＣ
２１    第２のＰＣ
【図１】
2007052712.tif 000003
【図２】
2007052712.tif 000004
【図３】
2007052712.tif 000005
【図４】
2007052712.tif 000006
【図５】
2007052712.tif 000007
【図６】
2007052712.tif 000008
【図７】
2007052712.tif 000009
【図８】
2007052712.tif 000010